(57)【要約】      （修正有）【課題】包装対象物の搬送手段としてエンドレスベルトを使用し定盤で真空室を形成する真空包装機の欠点として、機械サイズが大きくなり専有面積が大きい、ベルト裏面と定盤の上下面の洗浄が困難である、又ベルト上面とシューターとの間の落差が大きいために、包装物に衝撃を与え内容物を破損する危険があった。【解決手段】前方側に作業者が包装対象物を載置するための定盤１と、後方側に真空室の形成用としての定盤２とが水平状ガイド３に沿って配置され、チャンバーボックス５が後方側の定盤２に対し上下動可能に形成され、チャンバーボックス５を下降させて定盤２に密着させ真空室を形成し、水平状ガイド３の略中心部を共通軸心６として、水平状ガイド３の下部に設けた略中心軸心６寄りとその両端部側寄りとの４箇所を遷移接続部７、８および７ａ、８ａとし、小径と大径の二重円をなす半円状ガイド９、１０が設け定盤ガイド機構１１を形成している。【選択図】図１
2006256687.tif 000002
【特許請求の範囲】
【請求項１】
定盤とこの定盤に対し上下動可能なチャンバーボックスを備え、チャンバーボックスを下降させて定盤に密着させることで真空室を形成し、この真空室を脱気しつつ定盤上の包装対象物の真空包装を行う搬送ベルトを使用しない真空包装機であって、
真空包装位置と包装対象物の載置位置とにある進行方向側と反進行方向側との２つの定盤が配置され、
これらの２つの定盤が機械本体に対して対向配置された水平状ガイドの略中心部に共通軸心を有し、かつ、水平状ガイドの下部に設けた中心軸心寄りとその両端部側寄りの４箇所を遷移接続部とするそれぞれ大径と小径の二重円をなす半円状ガイドに沿って誘導されるように構成されていることを特徴とする真空包装機。
【請求項２】
水平状ガイドと半円状ガイドとによりそれぞれ一方向へ誘導されるとともに先行する定盤の一対のガイドローラが前記水平状ガイドと半円状ガイドとの後方端部側寄りと略中心軸心寄りの２箇所の遷移接続部に同時に達すると二重円をなす半円状ガイドに沿って先行する定盤は誘導されるとともに、
後行する定盤の一対のガイドローラが水平状ガイドに誘導されて、チャンバーボックス方向へ進み、真空室形成位置に達したときに前記先行した定盤が前記水平状ガイドと半円状ガイドとの前方端部側寄りと略中心軸心寄りの２箇所の遷移接続部に同時に達して水平状ガイドへ移行し、前方位置に配置される請求項１に記載の真空包装機。
【請求項３】
定盤の両側面部に対向配置した水平状ガイドの上方に配置した電動モータにより駆動される一対のスクリューシャフトと、
この水平状ガイドの略中心部に共通軸心を有し、かつ、水平状ガイドの下部に設けた略中心軸心寄りとその両端部側寄りとの４箇所を遷移接続部とする小径と大径の二重円をなす半円状ガイドに案内されて移動する定盤の両側面部に一組の遷移接続部の間隔と同一の間隔で配置した一対のガイドローラと、ガイドローラと同一面に配置した上記スクリューシャフトへの噛み込みバーとからなる定盤駆動装置と、
水平状ガイドと大径の半円状ガイドとの中間位置より下方かつ前方位置に水平配置したシリンダーと、シリンダーの進退ロッドの先端部は上記大径の半円状ガイドの略中心軸線より後方位置まで進出し、かつ進退ロッドの先端部に設けた定盤の反移動方向に復元力を付与したスプリングを有する定盤面の一部に当接する保持具とからなる定盤引き起こし装置と、
二重円の半円状ガイドの略中心軸線から前方位置かつ大径の半円状ガイドの外方下部に揺動自在に設置した復動型昇降用シリンダーと、
復動型昇降用シリンダーの進退ロッドの先端に設けた不平衡状態で軸支した台板とからなる定盤押し上げ装置と、
復動型昇降用シリンダーの一方側に軸支した俯仰自在な俯仰用シリンダーと、
俯仰用シリンダーの進退ロッドの先端部を上記復動型昇降用シリンダー本体の上部に軸支した復動型昇降用シリンダー俯仰装置とからなる請求項１に記載の真空包装機。
【発明の詳細な説明】
【技術分野】
【０００１】
本発明は、包装対象物を真空包装するための真空包装機、特に、連続処理が可能で、定盤が反転する型式の真空包装機に関する。
【背景技術】
【０００２】
図４は、従来から一般的に使用されている連続処理が可能な真空包装機を示す。
【０００３】
同図において、この真空包装機は、一定間隔で配置した２個のスプロケット４０の回りに搬送と作業台を兼ねたテンションスプロケット４９によって張力を調整するエンドレスの搬送ベルト４１が支持されている。
【０００４】
この搬送ベルト４１の搬送面には、枕状のシール台４２が等間隔で固定されており、袋詰め製品である包装対象物（図示せず）を収納した包装袋の開口部を下から支えるとともに、その搬送ベルト４１の間欠走行によって、包装対象物がチャンバーボックス４３の下域に到着するたびにチャンバーボックス４３を下降させて、チャンバーボックス４３に対応する位置にあって、搬送ベルト４１の下面に配置された定盤４４に搬送ベルト４１を介して密着することで包装対象物を覆う真空室が形成される。
【０００５】
そして、図示しない脱気ポンプを作動させて、真空室を脱気パイプ４５を通して脱気して、包装対象物を収納した包装袋内の気体を抜いた後、チャンバーボックス４３内に設けられているシール機構のシールバー４６を下降させるとこれと搬送ベルト４１上のシール台４２上の物品を収納した包装袋の開口部分を挟持して熱シール（封止）した後、チャンバーボックス４３を上昇させ、真空包装体を搬送ベルト４１の間欠走行により、包装物排出シューター４７を介して順次集荷部へ排出するようになっている。
【０００６】
このタイプの真空包装機は、物品を収納した個々の包装袋を人手によって並べて行くため操作が簡単で扱い易いために、食品業界において広く使われている。
【０００７】
しかし、搬送ベルト４１には、エンドレスベルトとするための接続部（ベルト継手金具を使用）４８の他に、脱気の際に減圧力で持ち上げられないように多数の通気孔が形成されているために、包装対象物として、漬物や貝類等の食品や味付け汁と同封される食品のように、液汁の多いものを取り扱う場合には、包装対象物から漏れ出た油脂分や糖分、塩類等を含む液汁等が定盤４４上に流れ込んで、固化、堆積するとともに搬送ベルト４１の裏面にも付着して堆積することになり、当該真空包装機の駆動系の作動不良を招いたり、食品包装機械として衛生上からも好ましくないと言う問題が発生する。  このため、定期的にその内部空間の構成部材を洗浄、清掃する必要がある。ところが、真空包装機の側面部は安全上、機枠で覆われており、簡単に行える状況になく、部分的な分解作業が必要となり、この洗浄、清掃が、保守上、大きな負担となる。
【０００８】
この搬送ベルトの下面に配置された定盤に搬送ベルトを介して密着することで包装対象物を覆う真空室が形成される真空包装機の洗浄・清掃の問題を解決するための提案が種々行われてきた。
【０００９】
例えば、特許文献１には、親水性多孔質弾性体の外周に螺旋溝を刻設したロールまたは合成樹脂材を螺旋状に植毛した刷毛ロールを搬送ベルトの内面に接触配置して、これを回転駆動させることでその付着物を除去清掃した真空包装機が開示されている。
【００１０】
しかし、除去清掃の効率を維持するためには、清掃ロールを搬送ベルト裏面に常時接触、駆動させる必要があり、このため、搬送ベルトの裏面や除去ロールが摩耗する問題がある他、搬送ベルトの下面に配置された定盤上の堆積物は除去されず、衛生面での十分な改善は期待できないという欠点がある。
【００１１】
また、特許文献２には、搬送ベルトの一部を脱着可能とし、これを取り外した状態で、その開口面から真空包装機本体の側壁と巻き回された搬送ベルトとの内部空間に構成された定盤を含む部材の点検、整備、清掃を行うようにした真空包装機が開示されている。
【００１２】
しかし、この真空包装機は、定盤と一対で配置されているチャンバーボックスを最上昇位置に停止させた後、搬送ベルトの一部に形成される開口面から定盤の上面を清掃する構造となっており、チャンバーボックスが邪魔となって定盤の垂直方向から清掃することができないため清掃効率が悪く、堆積物が固着状態とならないよう、かなりの頻度で清掃する必要がある。また、液汁等を多く含む包装対象物では、真空包装時にその液汁等の一部が漏洩することを防ぎきれないことから、包装袋が搬送ベルトに接着してスプロケット部を移動する際に包装袋内部の商品に身曲がりが生じたり、排出のタイミングが遅れ、集荷部への排出がスムーズに行われないという問題もある。
【００１３】
さらに、特許文献３には、図５に示すように、走行ローラ６０に支持された定盤６１を複数個所定の間隔で保持し、そして走行体６２の回転走行に応じて各定盤６１、６１、６１を順次位置決めして、載置位置６３で定盤６１に包装対象物を載せ、包装位置６４ではチャンバーボックス６５の下降以降の真空包装動作をなし、排出位置６６では定盤から包装品を排出するようになった真空包装機が開示されている。この真空包装機においては、定盤６１は包装対象物の載置位置６３において常時露出した状態であるため、定盤６１上面の清掃は非常に簡単に行えるようになっている。
【００１４】
そして、包装対象物を載せる載置位置６３では、定盤６１は水平に近いほど作業性は良いことから、その作業者の立つ位置（前方側）、すなわち、該載置位置６３で定盤６１が水平となるようガイドされるように第２ガイド路６７が設けられている。この第２ガイド路６７には、排出位置６６から載置位置６３への戻り部において傾斜部が形成され、これにより排出位置６６の定盤６１は後方側が低位となって包装品を後方へ排出することができるようになっている。これによって、包装袋が定盤に接着した状態となっても平面状を滑落することから該包装袋に曲がりが生じることは無く、包装袋内部の商品に身曲がり等が生じることを防ぐことができる。
【００１５】
ところが、真空包装機は、清掃面から見ると液汁等の漏れが定盤の上面のみである場合は問題は生じないが、定盤６１の裏面側の汚れの清掃は困難であるとともに、真空包装後の包装対象物は、真空包装機本体の中央部分近傍に配置された定盤から排出されることになるため、載置位置６３の高さに制約を受け、集荷部の配置に不都合を生じる。
【特許文献１】実開昭４８−３２４６６
【特許文献２】特開２００２−５９９０９
【特許文献３】特開平８−３０１２１９
【発明の開示】
【発明が解決しようとする課題】
【００１６】
このように、包装対象物の搬送手段としてエンドレスベルトを使用し、チャンバーボックスと定盤とで真空室を形成する真空包装機の一般的な欠点として、機械サイズが大きくなるために機械そのものの専有面積が大きい、ベルト裏面と定盤の上下面の洗浄が困難である、ベルト上で真空処理された包装対象物がベルトの回転によって後方に排出される際、ベルト上面とシューターとの間の落差が大きいために、包装物に衝撃を与え、内容物を破損する危険があった。
【００１７】
本願発明における解決課題は、係る従来の真空包装機における欠点を解消し、特に、優れた使用環境で衛生状態を保持できる真空包装機を提供することにある。
【課題を解決するための手段】
【００１８】
本願発明は、前記従来の真空包装機において、包装対象物の液汁が定盤の表裏面に生じる汚れの原因は、搬送ベルトに形成されている多数の通気孔等から搬送ベルトの内面に入り込んで定盤上に流れ込むことに起因しているという観点に立っての搬送ベルトを使用しない真空包装機である。
【００１９】
すなわち、本願発明は、定盤とこの定盤に対し上下動可能なチャンバーボックスを備え、チャンバーボックスを下降させて定盤に密着させることで真空室を形成し、この真空室を脱気しつつ定盤上の包装対象物の真空包装を行う搬送ベルトを使用しない真空包装機であって、真空包装位置と包装対象物の載置位置とにある進行方向側と反進行方向側との２つの定盤が配置され、これらの２つの定盤が機械本体に対して対向配置された水平状ガイドの略中心部に共通軸心を有し、かつ、水平状ガイドの下部に設けた中心軸心寄りとその両端部側寄りの４箇所を遷移接続部とする、それぞれ大径と小径の二重円をなす半円状ガイドに沿って誘導されるように構成されていることを特徴とする。
【００２０】
これによって２つの定盤の内、先行する定盤は、水平姿勢、すなわち、俯仰角度が０度から、垂直姿勢すなわち俯仰角度が９０度へ、さらには、水平姿勢すなわち俯仰角度が１８０度へと移行し、半円状ガイドと水平状ガイドとの前方端部側寄りと略中心軸心寄りの２箇所の遷移接続部に同時に達し、定盤の表裏面が入れ替わった状態で、載置位置に戻るので、作業者は載置位置にある定盤の表面が液汁類等の漏れにより汚れていた場合はすぐに清掃を行えば良く、作業者は表裏面を認識することなく容易に定盤の表裏面の清掃が行えるため、食品包装機械としての衛生状態を常時保持することができる。
【００２１】
さらに、本願発明においては、包装物を載置した定盤が半円状ガイドに誘導されて傾動姿勢になると滑落し始めるため、大径の半円状ガイド側の該定盤の先端部近傍に４５度前後の角度を持たせた包装物排出シューターを配設することで、その落下点に集荷部を設けることができる。
【００２２】
なお、定盤が包装物排出シューターとしても機能するため、特に、シューターを設置しなくとも良い。
【発明の効果】
【００２３】
機長を長くしている原因であったエンドレスベルトのためのスプロケットがないため、エンドレスベルトを使用する真空包装機のほぼ半分の長さとなる。
【００２４】
真空包装作業を行いながらの洗浄と清掃が可能であるので、機械の稼働効率が上がる。
【００２５】
真空包装後の排出シューターを格別に設ける必要がなく機械構造が簡単になる。
【発明を実施するための最良の形態】
【００２６】
本願発明の真空包装機の実施形態を、図面に示す実施例によって説明する。
【実施例】
【００２７】
図１は、本願発明の実施例に係る真空包装機の本体の要部および定盤ガイド機構を模式的に示した側面図である。
【００２８】
同図において、前方側（反進行方向側）に作業者が包装対象物を載置するための定盤１と、後方側（進行方向側）に真空室の形成用としての定盤２とが水平状ガイド３に沿って配置されている。
【００２９】
脱気パイプ４を接続したチャンバーボックス５が後方側の定盤２に対し上下動可能に形成され、チャンバーボックス５を下降させて定盤２に密着させることで真空室を形成するようになっている。
【００３０】
水平状ガイド３は真空包装機の本体の両側面部に対向して定盤の移動方向に配置されており、この水平状ガイド３の略中心部を共通軸心６として、また、水平状ガイド３の下部に設けた略中心軸心６寄りとその両端部側寄りとの４箇所を遷移接続部７、８および７ａ、８ａとして、小径と大径の二重円をなす半円状ガイド９、１０が設けられることによって、定盤ガイド機構１１を形成している。
【００３１】
上記共通軸心６は、二重円の略中心部となっている。
【００３２】
定盤１、２の表面側の後方部には、チャンバーボックス５により真空室が形成されたときにチャンバーボックス５内に設置された昇降自在なシールバー１２とこれに対向配置されたシール台１３が設けられている。  また、同様の機能を有するシール台１４が同定盤１、２の裏面側前方部にも設けられている。  なお、図中３６は包装物排出シューターを示す。
【００３３】
図２は本願発明に係る真空包装機の定盤を示し、（ａ）は駆動機構を一部切欠き平面図によって示し、（ｂ）は定盤の要部を断面側面図によって示す。
【００３４】
同図に示すように、定盤１、２の両側面部に対向して配置された水平状ガイド３の上方には、定盤駆動装置２０として、電動モータ１５により駆動される一対のスクリューシャフト１６が配置されている。
【００３５】
また、定盤１、２の両側面部には、水平状ガイド３と二重円をなす半円状ガイド９と１０の略中心軸心６側（図３参照）と両端部側との間隔、すなわち、小径の半円状ガイド９と大径の半円状ガイド１０との一組の遷移接続部７、８または７ａ、８ａと同一の間隔で配置した一対のガイドローラ１７、１７ａが設けられている。
【００３６】
これらのガイドローラ１７、１７ａの回転軸と、これに同軸に配置された固定桿１８の先端部には、上方へ直角方向に突出させたスクリューシャフト１６の溝部に噛み込み挿入される噛み込みバー１９が設けられており、スクリューシャフト１６に噛み込みバー１９が噛み込んだ状態で、両定盤１、２は水平状ガイド３に沿って移動する。
【００３７】
先行する定盤（後方側の定盤２）の一対のガイドローラ１７、１７が、水平状ガイド３と半円状ガイド９、１０との後方端部側寄りと中心軸心寄りの２箇所の遷移接続部８、７に同時に達すると、定盤２は水平状ガイド３の支え（定盤の角度０度）を失い半円状ガイド９、１０ヘ移行し、下降しながら誘導される。このとき後行する定盤（前方側の定盤１）は、定盤駆動装置２０に誘導されて、チャンバーボックス５方向へ進む。
【００３８】
半円状ガイド９、１０に誘導されて下降する先行側の定盤２が、両ガイド９、１０の略中心軸線６ａ（定盤の角度９０度）を通過する前に上記水平状ガイド３と大径の半円状ガイド１０との中間位置、概ね３分の２程度の下方位置かつ前方位置に水平配置した定盤引き起こし装置２１のシリンダー２２と、上記両ガイド９、１０の略中心軸線（定盤の角度９０度）より後方位置（定盤の角度８５度前後）まで進出して待機している該シリンダー２２の進退ロッド２３の先端部に設けた保持具２４の後方斜面２５に上記定盤２の後方部裏面側の側部が当接し、該進退ロッド２３の先端部に設けた定盤２の反移動方向に復元力を付与したスプリング２６に抗して保持具２４が倒伏し、同定盤２が保持具２４部分を通過するとスプリング２６の張力により保持具２４は元の位置へ復元するとともにシリンダー２２が作動して進退ロッド２３が後退することにより該定盤２の後方部裏面側（定盤２の角度が９０度を越えると真空室形成時の定盤２の表面側は作業者の側から見ると裏面側となる。以下同じ。）の側部に該保持具２４が当接するとともに、定盤押し上げ装置２７に設けられている台板２８が該定盤２を支承できる略１２０度位置まで定盤２を引き起こして一時的に保持する。
【００３９】
この状態から定盤押し上げ装置２７の復動型昇降用シリンダー２９が作動し、進退ロッド３０が進出することで、該定盤２の裏面に該復動型昇降用シリンダー２９の進退ロッド３０の先端に設けた台板２８が当接し、進退ロッド３０の進出に伴い定盤２を押し上げて行く。
【００４０】
該台板２８の当接後、定盤引き起こし装置２１のシリンダー２２の進退ロッド２３は進出し、一時的な保持状態を解消して保持具２４は元の位置に復帰する。
【００４１】
上記復動型昇降用シリンダー２９の進退ロッド３０の先端に設けた台板２８が定盤２を押し上げて行くのに伴い、復動型昇降用シリンダー２９本体の上部にそのロッド３１の先端部３２を軸支させた基部３３を回動自在に軸支した俯仰用シリンダー３４が作動し、そのロッド３１を後退させて、上記台板２８の押し上げ角度に応じた俯仰角度を復動型昇降用シリンダー２９本体の揺動により行うことで、重量のある定盤２であっても安定した押し上げ動作を行わせることができる復動型昇降用シリンダー俯仰装置３５としている。
【００４２】
定盤押し上げ装置２７と復動型昇降用シリンダー俯仰装置３５とは連携して作動するように調整され、さらに該台板２８は下降、誘導される定盤２と当接することのない上記二重円の半円状ガイド９、１０の略中心軸線６ａから前方位置かつ大径の半円状ガイド１０の外方下部に設置している。さらに該復動型昇降用シリンダー２９の進退ロッド３０の先端に軸支した台板２８は、定盤２が角度１００度から１２０度程度の位置にある際に当接するよう後方側が高位となるよう不平衡状態で軸支している。
【００４３】
台板２８により押し上げられた定盤２が前方側の遷移接続部７ａ、８ａに達し、該定盤２は水平状ガイド３部に移行するとともに定盤２のガイドローラ１７、１７の回転軸と同軸配置された固定桿１８、１８先端部に上方へ直角方向に突出させた噛み込みバー１９、１９がスクリューシャフト１６の溝部に噛み込み挿入される。
【００４４】
次いで、スクリューシャフト１６を短時間作動させ、定盤２のガイドローラ１７、１７を前方側の遷移接続部７ａ、８ａから若干後方側へ移動させることで同定盤２を水平状ガイド３に支承させた後、復動型昇降用シリンダー２９のロッド３０を後退させるとともに復動型昇降用シリンダー俯仰装置３５と連携させて元の位置に復帰させる。
【００４５】
これにより最初の作業開始の状態に戻るが、前方側の定盤１と後方側の定盤２（上記に説明したように定盤２の表裏面は反転している。）とは、その位置は入れ替わっている。なお、図中３７で示すものは真空包装機の基台であり、両側面を繋ぐ部材でもある。３８は復動型昇降用シリンダー２９の軸支部である。
【００４６】
図３は定盤１、２の動きを示すもので、同図（ａ）は前方側の定盤１で包装対象物を載置し、後方側の定盤２で真空包装を行う状態を示す。また、同図（ｂ）はスクリューシャフト１６の駆動により、両定盤１、２が移動し、後方側の定盤２が一対の遷移接続部７、８に達した状態を示す。さらに、同図（ｃ）は後方側の定盤２が半円状ガイド９、１０に沿って下降、誘導されるとともに、前方側の定盤１が水平状ガイド３に沿って進んでいる状態を示す。  また、さらに、同図（ｄ）は後方側の定盤２が略中心軸線６ａの位置に達するとともに前方側の定盤１が水平状ガイド３に沿って進んでいる状態を示す。これ以降では、前方側の定盤１と後方側の定盤２とが交替する。同図（ｅ）は後方側の定盤２が９０度を越えて押し上げられる状態を示し、表裏面が入れ替わって、載置位置へ上昇、誘導されていく状態を示し、前方側の定盤１は真空室形成位置まで順次進んでいる状態を示すものである。これにより同図（ｅ）から同図（ａ）の状態へ復帰する。
【００４７】
従って、一組の定盤１、２は交互に反転して、その表裏面が入れ替わるため、作業者による清掃作業は非常に容易であり、衛生状態を維持できる。
【００４８】
なお、上記説明においては、水平状ガイド３として、真空包装機の後方側へ高めに傾斜したものも含むものであり、装置の使用上から包装対象物の液汁等が多い場合ほどその傾斜角は大きくされる。
【００４９】
また、傾斜角が付いた場合、定盤１、２の角度９０度と半円状ガイド３の中心軸線６ａは一致しなくなるが、その基本動作は同じである。
【００５０】
さらに定盤押し上げ装置２７には復動型昇降用シリンダー２９が用いられているが、真空包装機の機体高さに余裕があれば、これに代えて、一般的なシリンダーを用いることができる。
【００５１】
定盤１、２はその自重により半円状ガイド９、１０を下降、誘導されるものであるので、定盤駆動装置２０、定盤引き起こし装置２１、定盤押し上げ装置２７および復動型昇降用シリンダー俯仰装置３５のそれぞれの作動時期は、近接スイッチや光学式センサー等の手段を用いて調整、連携して制御されることは当然である。
【００５２】
上記各駆動に用いられているシリンダーとしては、衛生上から電動や空気圧で操作されるものが好ましいが、確実な作動を求める場合は油圧作動のものでも良い。
【図面の簡単な説明】
【００５３】
【図１】本願発明の実施例に係る真空包装機の本体の要部および定盤ガイド機構を模式的に示した側面図である。
【図２】（ａ）本願発明に係る真空包装機の定盤の駆動機構を示した一部切欠き平面図である。（ｂ）定盤の要部を示す断面側面図である。
【図３】本願発明に係る真空包装機の定盤の移動を模式的に示す側面図である。
【図４】一般的なベルト式真空包装機を示す要部側面図である。
【図５】従来のプレート式真空包装機を示す要部斜視図である。
【符号の説明】
【００５４】
１……前方側の定盤
２……後方側の定盤
３……水平状ガイド
４……脱気パイプ
５……チャンバーボックス
６……共通軸心
６ａ…略中心軸線
７、７ａ……略中心軸心寄りの遷移接続部
８、８ａ……両端部側寄りの遷移接続部
９……小径の半円状ガイド
１０…大径の半円状ガイド
１１…定盤ガイド機構
１２…シールバー
１３…表面側のシール台
１４…裏面側のシール台
１５…電動モータ
１６…スクリューシャフト
１７、１７ａ……ガイドローラ
１８…固定桿
１９…噛み込みバー
２０…定盤駆動装置
２１…定盤引き起こし装置
２２…シリンダー
２３…進退ロッド
２４…保持具
２５…後方斜面
２６…スプリング
２７…定盤押し上げ装置
２８…台板
２９…復動型昇降用シリンダー
３０…進退ロッド
３１…ロッド
３２…ロッドの先端部
３３…基部
３４…俯仰用シリンダー
３５…復動型昇降用シリンダー俯仰装置
３６…包装物排出シューター
３７…真空包装機の基台
３８…復動型昇降用シリンダーの軸支部
４０…スプロケット
４１…搬送ベルト
４２…シール台
４３…チャンバーボックス
４４…定盤
４５…脱気パイプ
４６…シールバー
４７…包装物排出用シューター
４８…接続部（ベルト継手金具）
４９…テンションスプロケット
６０…走行ローラ
６１…定盤
６２…走行体
６３…載置位置
６４…包装位置
６５…チャンバーボックス
６６…排出位置
６７…第２ガイド路
【図１】
2006256687.tif 000003
【図２】
2006256687.tif 000004
【図３】
2006256687.tif 000005
【図４】
2006256687.tif 000006
【図５】
2006256687.tif 000007